(57)【要約】【課題】内部に収納した携帯電話機を収納したままの状態で操作可能な収納袋、および収納袋を用いた車両を提供する。【解決手段】収納袋１００は、少なくとも一箇所に開口部１００ａを有し、静電容量の変化を検知することで入力操作が可能な携帯電話機ＳＰを収納する収納袋であって、透光性を有する第１の繊維ＦＢ１からなるとともに伸縮性を備えたベース布１が、少なくとも収納袋１００に収納された携帯電話機ＳＰの操作面ＣＰに対向可能な位置に、収納袋１００の生地として用いられ、ベース布１の、少なくとも携帯電話機ＳＰの入力位置ＩＣに対応した位置には、導電性を有する第２の繊維ＦＢ２が配置されている構成とした。また、車両３００は収納袋１００がコンソールパネル３１に備えている。【選択図】図１
2016036616.tif 000002
【特許請求の範囲】
【請求項１】
少なくとも一箇所に開口部を有し、静電容量の変化を検知することで入力操作が可能な携帯電話機を収納する収納袋であって、
透光性を有する第１の繊維からなるとともに伸縮性を備えたベース布が、少なくとも収納袋に収納された携帯電話機の操作面に対向可能な位置に、収納袋の生地として用いられ、
前記ベース布の、少なくとも携帯電話機の入力位置に対応した位置には、導電性を有する第２の繊維が配置されていることを特徴とする収納袋。
【請求項２】
前記第１の繊維は透光性を有する白色系または透明の繊維であることを特徴とする請求項１に記載の収納袋。
【請求項３】
前記ベース布の全域に亘って、前記第２の繊維からなるポイント部が、各々離間した状態で設けられていることを特徴とする請求項１または請求項２に記載の収納袋。
【請求項４】
前記ベース布の全域に亘って、短く切断された前記第２の繊維が織り込まれていることを特徴とする請求項１または請求項２に記載の収納袋。
【請求項５】
剛性を有し前記開口部に沿って配置された第１補強部材と、
剛性を有し前記開口部に対向する箇所に配置された第２補強部材と、
前記第１補強部材と前記第２補強部材とを連結する連結部材と、
を有することを特徴とする請求項１ないし請求項４のいずれかに記載の収納袋。
【請求項６】
請求項１ないし請求項５に記載の収納袋を用いた車両であって、
前記収納袋が車両のコンソールパネルに設置されていることを特徴とする車両。
【請求項７】
前記収納袋は前記第１補強部材、前記第２補強部材、前記連結部材の少なくとも一つを介して前記コンソールパネルに固定されていることを特徴とする請求項６に記載の車両。
【請求項８】
前記収納袋は前記第１補強部材、前記第２補強部材、前記連結部材の少なくとも一つを介して前記コンソールパネルに着脱可能に保持されていることを特徴とする請求項６または請求項７のいずれかに記載の車両。
【請求項９】
携帯電話機と通信可能な近接領域通信タグと、
携帯電話機と前記近接領域通信タグとの通信結果に応じて他の機器の制御をおこなう制御部と、
を有し、
前記近接領域通信タグは前記コンソールパネルの前記収納袋に対向する位置に配置され、
携帯電話機が前記収納袋に収納された場合に、携帯電話機と前記近接領域通信タグとが通信を行うとともに、前記制御部が前記他の機器の制御をおこなう制御信号を出力することを特徴とする請求項６ないし請求項８のいずれかに記載の車両。
【請求項１０】
前記コンソールパネルの前記収納袋に対向する位置に、無線給電装置が配置されていることを特徴とする請求項６ないし請求項９のいずれかに記載の車両。
【発明の詳細な説明】
【技術分野】
【０００１】
本発明は、収納袋に関し、特に、内部に収納された携帯電話機を収納したまま操作することができる収納袋に関するものである。
【背景技術】
【０００２】
昨今、タッチパネルで各種操作を行うことができる携帯電話機が普及してきている。このような携帯電話機を持ち運ぶ際には、汚れや傷を防止するために、収納袋に収納して持ち運ぶ方法がある。このような収納袋としては、下記の特許文献１に記載の収納袋が知られている。
【０００３】
以下、図７を用いて、特許文献１に記載の収納袋９００について説明する。図７は特許文献１に記載の収納袋９００の外観を示す図である。
【０００４】
特許文献１に記載の収納袋９００は、単繊維繊度０．００１〜１．１デシテックスの極細繊維を少なくとも表面層に有する柔軟な繊維布を用い、かつ、全体として柔軟さが失われることなく袋状に構成されている。そのため、内部に携帯電話を収納することで傷がつくのを防止するとともに、携帯電話機に汚れが付いた場合には、その汚れをふき取ることに適している。
【先行技術文献】
【特許文献】
【０００５】
【特許文献１】特開２００１−２７５７３０号公報
【発明の概要】
【発明が解決しようとする課題】
【０００６】
しかしながら、収納袋９００に携帯電話機が収納されたままの状態では携帯電話機の状態、例えば、着信があったのか無かったのかなど、を判別することができない。また、携帯電話機を操作するたびに収納袋９００から携帯電話機を取り出す必要があり、携帯電話機を操作しにくいものであった。特に車両運転中においては、操作画面を確認しようするだけでも交通事故につながるような操作ミスにつながりかねないなど、問題があった。
【０００７】
本発明は、上述した課題を解決して、内部に収納した携帯電話機を収納したままの状態で携帯電話機の状態を判別することができ、且つ、操作可能な収納袋を提供するものである。また、収納袋を用いた車両を提供するものである。
【課題を解決するための手段】
【０００８】
本発明の収納袋は、少なくとも一箇所に開口部を有し、静電容量の変化を検知することで入力操作が可能な携帯電話機を収納する収納袋であって、透光性を有する第１の繊維からなるとともに伸縮性を備えたベース布が、少なくとも収納袋に収納された携帯電話機の操作面に対向可能な位置に、収納袋の生地として用いられ、前記ベース布の、少なくとも携帯電話機の入力位置に対応した位置には、導電性を有する第２の繊維が配置されている、ことを特徴とする。
【０００９】
これにより、第１の繊維からなるベース布を携帯電話の操作面に対向可能な位置に用い、第１の繊維が透光性を有することから、携帯電話を収納した際にも携帯電話の操作面を透かして確認することができる。また、携帯電話機の入力位置に対応した位置に導電性を有する第２の繊維を配置したことから、収納袋の外側から収納袋を介して携帯電話機の入力位置に触れることで、携帯電話機を収納した状態であっても入力操作が可能となる。したがって、内部に収納した携帯電話機を収納したままの状態で操作可能な収納袋を提供することができる。
【００１０】
また、本発明の収納袋は、前記第１の繊維は透光性を有する白色系または透明の繊維である、ことを特徴とする。
【００１１】
これにより、第１の繊維を白色系または透明の繊維とすることで、携帯電話機の操作面をより明確に視認することができる。
【００１２】
また、本発明の収納袋は、前記ベース布の全域に亘って、前記第２の繊維からなるポイント部が、各々離間した状態で設けられている、ことを特徴とする。
【００１３】
これにより、ベース布の全域に亘ってポイント部が形成されているため、内部に収納された携帯電話機の操作が可能な領域が広くなり、操作性が良い。また、ポイント部同士の間は透光性を備えたベース布であるため、ベース布を透かして内部に収納された携帯電話機を確認することができる。
【００１４】
また、本発明の収納袋は、前記ベース布の全域に亘って、短く切断された前記第２の繊維が織り込まれている、ことを特徴とする。
【００１５】
これにより、ベース布の全域に亘って短く切断された第２の繊維が織り込まれているため、内部に収納された携帯電話機の操作が可能な領域が広くなるとともに、第２の繊維が短く切断されていることから、第２の繊維同士の接触が妨げられるため、意図して触ったアイコン以外のアイコンには反応しないため、操作性が良い。また、第２の繊維同士の間は透光性を備えたベース布であるため、内部に収納された携帯電話機を、繊維布を透かして確認することができる。
【００１６】
また、本発明の収納袋は、剛性を有し前記開口部に沿って配置された第１補強部材と、剛性を有し前記開口部に対向する箇所に配置された第２補強部材と、前記第１補強部材と前記第２補強部材とを連結する連結部材と、を有することを特徴とする。
【００１７】
これにより、第１補強部材と第２補強部材と連結部材を設けることで、全体の伸縮性は保持したまま、内部に収納される携帯電話機の位置を一定の領域内に保持することができるため、繊維布と携帯電話機の操作面の位置関係に大きなずれが発生しにくくなる。したがって、内部に収納された携帯電話機を繊維布を介して操作する際に誤操作が発生しにくく、良好な操作性を保つことができる。
【００１８】
また、本発明の車両は、請求項１ないし請求項５に記載の収納袋を用いた車両であって、前記収納袋が車両のコンソールパネルに設置されている、ことを特徴とする。
【００１９】
これにより、運転席に座った操縦者の体勢を大きく崩すことなく、腕を伸ばす程度の範囲内に収納袋が配置されているので、携帯電話機を収納袋に容易に収納することができる。また、運転中にやむを得ず携帯電話機の着信状況などを確認する際には、視線移動が少なくて済むため、安全性を損ねることなく確認することができる。
【００２０】
また、本発明の車両は、前記収納袋は前記第１補強部材、前記第２補強部材、前記連結部材の少なくとも一つを介して前記コンソールパネルに固定されている、ことを特徴とする。
【００２１】
これにより、伸縮性のない部分で車両と接続されているため、車両の走行による振動や携帯電話機の重量を含めた自重が加わった場合にも、配置位置が変わらないため、視認性や取り出し性を良くすることができる。
【００２２】
また、本発明の車両は、前記収納袋は前記第１補強部材、前記第２補強部材、前記連結部材の少なくとも一つを介して前記コンソールパネルに着脱可能に保持されている、ことを特徴とする。
【００２３】
これにより、収納袋に携帯電話機を収納したまま車外に持ち出すことができる。
【００２４】
また、本発明の車両は、携帯電話機と通信可能な近接領域通信タグと、携帯電話機と前記近接領域通信タグとの通信結果に応じて他の機器の制御をおこなう制御部と、を有し、前記近接領域通信タグは前記コンソールパネルの前記収納袋に対向する位置に配置され、携帯電話機が前記収納袋に収納された場合に、携帯電話機と前記近接領域通信タグとが通信を行うとともに、前記制御部が前記他の機器の制御をおこなう制御信号を出力する、ことを特徴とする。
【００２５】
これにより、携帯電話機を収納袋に収納したときに携帯電話機と近接領域通信タグとの通信が行われるとともに、通信結果に応じて他の機器の制御が行われることで、他の機器を携帯電話機と連動した操作モードへの切り替えや、表示モードの切り替えなどを自動でおこなうことができる。
【００２６】
また、本発明の車両は、前記コンソールパネルの前記収納袋に対向する位置に、無線給電装置が配置されている、ことを特徴とする。
【００２７】
これにより、無線給電装置に対応した機器を収納袋に収納することで、充電を行うことができる。
【発明の効果】
【００２８】
本発明によれば、内部に収納した携帯電話機を収納したままの状態で操作可能な収納袋、および収納袋を用いた車両を提供することができる。
【図面の簡単な説明】
【００２９】
【図１】第１実施形態における収納袋１００の外観を示す模式図である。
【図２】第１実施形態におけるポイント部２を示す模式図であり、図２（ａ）はポイント部２の外観を示す模式図であり、図２（ｂ）は図２（ａ）に記載の切断線Ｂ−Ｂで切断した断面を示す模式断面図である。
【図３】第１実施形態における補強部材８を示す模式図であり、図３（ａ）は補強部材８の外観を示す模式斜視図であり、図３（ｂ）は図３（ａ）に記載のＹ２方向側から見た状態の補強部材８の外観を示す模式側面図であり、図３（ｃ）は図３（ａ）に記載のＸ２方向側から見た状態の補強部材８を示す模式側面図である。
【図４】第１実施形態に記載の収納袋１００に携帯電話機ＳＰが収納された状態を示す模式図であり、図４（ａ）は携帯電話機ＳＰが収納される前の状態の収納袋１００を示す模式図であり、図４（ｂ）は携帯電話機ＳＰが収納された状態の収納袋１００を示す模式図である。
【図５】第２実施形態における収納袋２００に設けられた織り込み部９を示す模式図であり、図５（ａ）はアイコン（入力位置ＩＣ）と織り込み部９との位置関係を示す模式図であり、図５（ｂ）は図５（ａ）に記載の切断線Ｃ−Ｃで切断した断面を示す模式断面図である。
【図６】第３実施形態における車両３００において各構成部品の位置関係を示す模式図である。
【図７】特許文献１に記載の収納袋９００の外観を示す図である。
【発明を実施するための形態】
【００３０】
［第１実施形態］
以下に第１実施形態における収納袋１００について図１ないし図４を用いて説明する。図１は第１実施形態における収納袋１００の外観を示す模式図である。図２は第１実施形態におけるポイント部２を示す模式図であり、図２（ａ）はポイント部２の外観を示す模式図であり、図２（ｂ）は図２（ａ）に記載の切断線Ｂ−Ｂで切断した断面を示す模式断面図である。図３は第１実施形態における補強部材８を示す模式図であり、図３（ａ）は補強部材８の外観を示す模式斜視図であり、図３（ｂ）は図３（ａ）に記載のＹ２方向側から見た状態の補強部材８の外観を示す模式側面図であり、図３（ｃ）は図３（ａ）に記載のＸ２方向側から見た状態の補強部材８を示す模式側面図である。図４は第１実施形態に記載の収納袋１００に携帯電話機ＳＰが収納された状態を示す模式図であり、図４（ａ）は携帯電話機ＳＰが収納される前の状態の収納袋１００を示す模式図であり、図４（ｂ）は携帯電話機ＳＰが収納された状態の収納袋１００を示す模式図である。
【００３１】
収納袋１００は、静電容量の変化を検知することで入力操作が可能な携帯電話機ＳＰを収納する収納袋であって、少なくとも一箇所に開口部１００ａを有している。なお、第１実施形態においては、図１に示すように、上方（Ｚ１方向側）に携帯電話機ＳＰを挿入可能な大きさに形成された開口部１００ａを１つ有している。収納袋１００は、生地からなり袋形状に形成された袋部７と、袋部７の外形を保持する補強部材８と、を有している。袋部７は、透光性を有する第１の繊維ＦＢ１からなるとともにニット状に形成され伸縮性を備えたベース布１が、少なくとも収納袋１００に収納された携帯電話機ＳＰの操作面ＣＰに対向可能な位置に、収納袋１００の生地として用いられている。ベース布１は、ニットの織り方により、ある方向には伸びにくい形成されており、第１実施形態においては、上下方向（Ｚ１−Ｚ２方向）には伸びにくい構成となっている。また、第１の繊維ＦＢ１は透光性を有する白色系または透明の繊維である。なお、第１実施形態においては、透光性を有する白色系の第１の繊維ＦＢ１を用いるとともに、袋部７の全体をベース布１で形成している。また、ベース布１の、少なくとも携帯電話機ＳＰの入力位置ＩＣに対応した位置（図１に示す領域Ａ）には、導電性を有する第２の繊維ＦＢ２が配置されている。なお、第１実施形態においては、ベース布１の全域に亘って、図２に示すような、第２の繊維ＦＢ２からなるポイント部２が、各々離間した状態で設けられている。ポイント部２は、第２の繊維ＦＢ２を球状に形成した一対の接点部２ａがベース布１の両面に一つずつ露出するように設けられるとともに、第２の繊維ＦＢ２からなり対となる接点部２ａ同士をつなぐ導電部２ｂにより形成されている。また、ポイント部２は、携帯電話機ＳＰの操作面ＣＰ（図１参照）に対向して配置されたときに、操作面ＣＰに表示される操作用アイコン（入力位置ＩＣ）の大きさの中に複数個のポイント部２が収まり、且つ、操作者の操作体（指など）の大きさの中に複数個のポイント部２が収まるような密度で配置されている。
【００３２】
補強部材８は合成樹脂材からなり、図３に示すように、それぞれ剛性を有する第１補強部材３と、第２補強部材４と、連結部材５と、からなる。第１補強部材３は上下方向（Ｚ１−Ｚ２方向）に矩形の開口を備えた環状に形成されている。第２補強部材４は第１補強部材３の下方に離間して設けられている。また、第２補強部材４は長方形の板状に形成され、板面が上下方向を向くように配置されている。第２補強部材４は、長手方向（Ｘ１−Ｘ２方向）における長さ寸法は、第１補強部材３の長手方向における長さ寸法よりも短く、短手方向（Ｙ１−Ｙ２方向）における長さ寸法は、第１補強部材３の短手方向における長さ寸法よりも短い。また、第２補強部材４は、第２補強部材４を長手方向において２等分する直線と、第１補強部材３を長手方向において２等分する直線と、が一致する位置で、かつ上方から平面視した場合に、短手方向における一方側（Ｙ１方向側）の端面が、第１補強部材３における短手方向の一方側の端面と一致する位置に配置されている。連結部材５は、第２補強部材４の両端の、短手方向における一方側の端面から上方へ延設されるとともに、平板状に形成され、第１補強部材３と第２補強部材４とを連結する。
【００３３】
補強部材８は、第２補強部材４および連結部材５が袋部７の内部に配置され、第１補強部材３は開口部１００ａに沿って配置される。このように補強部材８が配置された袋部７は、開口部１００ａの箇所において第１補強部材３に固定されるとともに、開口部１００ａに対向する箇所に配置された第２補強部材４に固定される。なお、袋部７は、上下方向に引っ張られた状態で補強部材８に固定されている。このようにして収納袋１００は形成される。
【００３４】
携帯電話機ＳＰを収納袋１００に収納すると、図４に示すように、携帯電話機ＳＰは下方（Ｚ２方向側）を第２補強部材４により支えられる。また、伸縮性を備えた袋部７は携帯電話機ＳＰの外形寸法に合わせて伸びる。このように携帯電話機機ＳＰの外形寸法に合わせて伸びた袋部７には、縮もうとする力が働くため、携帯電話機ＳＰは袋部７の幅方向（Ｘ１−Ｘ２方向）における中央付近に保持される。このように配置された携帯電話機ＳＰの操作面ＣＰに対向する箇所の袋部７には、導電性を有する第２の繊維ＦＢ２からなるポイント部２（図２参照）が設けられているため、収納袋１００の外側からポイント部２を介して内部に収納された携帯電話機ＳＰを操作することができる。また、ベース布１は透光性を有する白色系の第１の繊維ＦＢ１から形成されているため、操作面ＣＰを収納袋１００の外側から確認しながら操作することができる。
【００３５】
以下、第１実施形態としたことによる効果について説明する。
【００３６】
第１実施形態の収納袋１００は、少なくとも一箇所に開口部１００ａを有し、静電容量の変化を検知することで入力操作が可能な携帯電話機ＳＰを収納する収納袋であって、透光性を有する第１の繊維ＦＢ１からなるとともに伸縮性を備えたベース布１が、少なくとも収納袋１００に収納された携帯電話機ＳＰの操作面ＣＰに対向可能な位置に、収納袋１００の生地として用いられ、ベース布１の、少なくとも携帯電話機ＳＰの入力位置ＩＣに対応した位置には、導電性を有する第２の繊維ＦＢ２が配置されている、構成とした。
【００３７】
これにより、第１の繊維ＦＢ１からなるベース布１を携帯電話機ＳＰの操作面ＣＰに対向可能な位置に用い、第１の繊維ＦＢ１が透光性を有することから、携帯電話機ＳＰを収納した際にも携帯電話機ＳＰの操作面ＣＰを透かして確認することができる。また、携帯電話機ＳＰの入力位置ＩＣに対応した位置に導電性を有する第２の繊維ＦＢ２を配置したことから、収納袋１００の外側から収納袋１００を介して携帯電話機ＳＰの入力位置ＩＣに触れることで、携帯電話機ＳＰを収納した状態であっても入力操作が可能となる。したがって、内部に収納した携帯電話機ＳＰを収納したままの状態で操作可能な収納袋１００を提供することができる。
【００３８】
第１実施形態の収納袋１００は、第１の繊維ＦＢ１は透光性を有する白色系または透明の繊維である、構成とした。
【００３９】
これにより、第１の繊維ＦＢ１を透光性を有する白色系または透明の繊維とすることで、携帯電話機ＳＰの操作面ＣＰをより明確に視認することができる。また、第１実施形態においては、第１の繊維ＦＢ１は透明の繊維を選択しているので、操作面ＣＰをより明瞭に視認することができる。
【００４０】
第１実施形態の収納袋１００は、ベース布１の全域に亘って、第２の繊維ＦＢ２からなるポイント部２が、各々離間した状態で設けられている、構成とした。
【００４１】
これにより、ベース布１の全域に亘ってポイント部２が形成されているため、内部に収納された携帯電話機ＳＰの操作が可能な領域が広くなり、操作性が良い。また、ポイント部２同士の間は透光性を備えたベース布１であるため、ベース布１を透かして内部に収納された携帯電話機ＳＰを確認することができる。
【００４２】
第１実施形態の収納袋１００は、剛性を有し開口部１００ａに沿って配置された第１補強部材３と、剛性を有し開口部１００ａに対向する箇所に配置された第２補強部材４と、第１補強部材３と第２補強部材４とを連結する連結部材５と、を有する、構成とした。
【００４３】
これにより、第２補強部材４が携帯電話機ＳＰを下方から保持することができ、上下方向における携帯電話機ＳＰの位置が規定される。また、第１補強部材３および第２補強部材４により幅方向において袋部７が伸縮する範囲も規定される。よって、第１補強部材３と第２補強部材４と連結部材５を設けることで、袋部７の全体の伸縮性は保持したまま、内部に収納される携帯電話機ＳＰの位置を一定の領域内に保持することができるため、繊維布と携帯電話機ＳＰの操作面ＣＰの位置関係に大きなずれが発生しにくくなる。したがって、内部に収納された携帯電話機ＳＰを繊維布を介して操作する際に誤操作が発生しにくく、良好な操作性を保つことができる。また、開口部１００ａに沿って第１補強部材３を配置することで、携帯電話機を挿入しやすくなる。
【００４４】
第１実施形態の収納袋１００は、ベース布１をニット状に形成する構成とした。これにより、伸縮性を確保するとともに、手にした時に柔らかな感触を得ることができる。また、ニットの網目から内部が見えるため、内部に収納された携帯電話機ＳＰの操作画面ＣＰをより視認しやすくすることができる。
【００４５】
［第２実施形態］
以下に第２実施形態における収納袋２００について説明する。第１実施形態における収納袋１００においては、少なくとも携帯電話機ＳＰの操作面ＣＰに対向する位置には、第２の繊維ＦＢ２からなるポイント部２が設けられる構造であった。第２実施形態における収納袋２００においては、ポイント部２の替わりに第２の繊維ＦＢ２を用いた織り込み部９が形成されていること以外の構成は、第１実施形態における収納袋１００の構成と同じ構成である。したがって、同じ構成の部分についての説明は省略する。
【００４６】
以下に、第２実施形態における織り込み部９について図５を用いて説明する。図５は第２実施形態における収納袋２００に設けられた織り込み部９を示す模式図であり、図５（ａ）はアイコン（入力位置ＩＣ）と織り込み部９との位置関係を示す模式図であり、図５（ｂ）は図５（ａ）に記載の切断線Ｃ−Ｃで切断した断面を示す模式断面図である。
【００４７】
織り込み部９は、ベース布１の全域に亘って、短く切断された第２の繊維ＦＢ２が織り込まれることで形成される。なお、第２実施形態において、織り込み部９は、図５に示すように、携帯電話機ＳＰが収納袋２００に収納されたときに、袋部７の、携帯電話機ＳＰの操作面ＣＰに表示される操作用アイコン（入力位置ＩＣ）と対向する箇所に、第２の繊維ＦＢ２からなる糸を所定のパターンで織り込むことで形成されている。第２の繊維ＦＢ２からなる糸を織り込むパターンは、幅方向（Ｘ１−Ｘ２方向）における一方から他方へ向って織り込んだ後に、他方から一方へ折り返して織り込むことを、下方へ向って少しずつ位置をずらしながら繰り返すパターンである。なお、織り込み部９は、第２の繊維ＦＢ２からなる糸の一部がベース布１の両面に露出するように織り込まれている。したがって、導電性を有する第２の繊維ＦＢ２からなる織り込み部９が設けられているため、収納袋２００の外側から織り込み部９を介して内部に収納された携帯電話機ＳＰを操作することができる。
【００４８】
以下、第２実施形態としたことによる効果について説明する。
【００４９】
第１実施形態の収納袋１００は、ベース布１の全域に亘って、短く切断された第２の繊維ＦＢ２が織り込まれている、構成とした。
【００５０】
これにより、ベース布１の全域に亘って短く切断された第２の繊維ＦＢ２が織り込まれているため、内部に収納された携帯電話機ＳＰの操作が可能な領域が広くなるとともに、意図して触ったアイコン（入力位置ＩＣ）以外のアイコンには反応しないため、操作性が良い。また、第２の繊維ＦＢ２同士の間は透光性を備えたベース布１であるため、内部に収納された携帯電話機ＳＰを、繊維布を透かして確認することができる。
【００５１】
［第３実施形態］
以下に第３実施形態における車両３００について説明する。第３実施形態における車両３００は、第１実施形態に記載の収納袋１００または第２実施形態に記載の収納袋２００を用いた車両であり、第１実施形態に記載の収納袋１００および第２実施形態に記載の収納袋２００の詳細な説明は省略する。また、第１実施形態に記載の収納袋１００または第２実施形態に記載の収納袋２００に関連する説明を行う場合には、第１実施形態に記載の収納袋１００を用いて説明するが、２実施形態に記載の収納袋２００であっても同様である。
【００５２】
まず始めに本実施形態における車両３００の構成について図６を用いて説明する。図６は第３実施形態における車両３００において各構成部品の位置関係を示す模式図である。
【００５３】
車両３００は、図６に示すように、収納袋１００がコンソールパネル３１に設置されている。収納袋１００は第１補強部材３、第２補強部材４、連結部材５の少なくとも一つを介してコンソールパネル３１に固定または着脱可能に保持されている。なお、第３実施形態においては、第１補強部材３を介してコンソールパネル３１に設けられたフック部３１ａに着脱可能に保持されている。また、車両３００は、携帯電話機ＳＰと通信可能な近接領域通信タグ３２と、携帯電話機ＳＰと近接領域通信タグ３２との通信結果に応じて他の機器の制御をおこなう制御部３３と、を有している。近接領域通信タグ３２はコンソールパネル３１の収納袋１００に対向する位置に配置され、制御部３３は車両３００のいずれかの位置に配置されている。また、コンソールパネル３１の収納袋１００に対向する位置に、無線給電装置３４が配置されている。
【００５４】
このような構成で配置された収納袋１００に、携帯電話機ＳＰが収納された場合に、携帯電話機ＳＰと近接領域通信タグ３２とが通信を行うとともに、携帯電話機ＳＰと近接領域通信タグ３２との通信に応じて、制御部３３が他の機器の制御をおこなう制御信号ＣＳを出力する。制御信号ＣＳによる他の機器の制御としては、例えば、携帯電話機ＳＰの操作面ＣＰに表示されている画像を、車両３００に搭載されたモニタに表示するとともに、モニタを介して携帯電話機ＳＰへの入力操作を可能とさせたり、携帯電話機ＳＰの操作面ＣＰに特定の画像（自動車メーカーのロゴなど）を表示させる、などの制御を行う。また、携帯電話機機ＳＰが無線給電に対応していれば、携帯電話機ＳＰの充電を行うことができる。なお、携帯電話機ＳＰ以外の電子機器でも、無線給電に対応している機器であれば同様に充電を行うことができる。
【００５５】
以下、第３実施形態としたことによる効果について説明する。
【００５６】
第３実施形態の車両３００は、第１実施形態に記載の収納袋１００または第２実施形態に記載の収納袋２００を用いた車両であって、収納袋１００が車両３００のコンソールパネル３１に設置されている、構成とした。
【００５７】
これにより、運転席に座った操縦者の体勢を大きく崩すことなく、腕を伸ばす程度の範囲内に収納袋１００が配置されているので、携帯電話機ＳＰを収納袋１００に容易に収納することができる。また、運転中にやむを得ず携帯電話機ＳＰの着信状況などを確認する際には、視線移動が少なくて済むため、安全性を損ねることなく確認することができる。
【００５８】
第３実施形態の車両３００は、収納袋１００は第１補強部材３、第２補強部材４、連結部材５の少なくとも一つを介してコンソールパネル３１に固定されている、構成とした。
【００５９】
これにより、伸縮性のない部分で車両３００と接続されているため、車両３００の走行による振動や携帯電話機ＳＰの重量を含めたを自重が加わった場合にも、配置位置が変わらないため、視認性や取り出し性を良くすることができる。また、第３実施形態においては、収納袋１００の上方側に位置する第１補強部材３がコンソールパネル３１のフック部３１ａに保持されている。このような構成とすることで、収納袋１００の下方側のみを保持した場合に比べて、開口部１００ａが下方を向いてしまう状態はより発生しにくく、携帯電話機ＳＰの脱落が発生しにくくなる。
【００６０】
第３実施形態の車両３００は、収納袋１００は第１補強部材３、第２補強部材４、連結部材５の少なくとも一つを介してコンソールパネル３１に着脱可能に保持されている、構成とした。
【００６１】
これにより、収納袋１００に携帯電話機ＳＰを収納したまま車外に持ち出すことができる。
【００６２】
第３実施形態の車両３００は、携帯電話機ＳＰと通信可能な近接領域通信タグ３２と、携帯電話機ＳＰと近接領域通信タグ３２との通信結果に応じて他の機器の制御をおこなう制御部３３と、を有し、近接領域通信タグ３２はコンソールパネル３１の収納袋１００に対向する位置に配置され、携帯電話機ＳＰが収納袋１００に収納された場合に、携帯電話機ＳＰと近接領域通信タグ３２とが通信を行うとともに、制御部３３が他の機器の制御をおこなう制御信号ＣＳを出力する、構成とした。
【００６３】
これにより、携帯電話機ＳＰを収納袋１００に収納したときに携帯電話機ＳＰと近接領域通信タグ３２との通信が行われるとともに、通信結果に応じて他の機器の制御が行われることで、他の機器を携帯電話機ＳＰと連動した操作モードへの切り替えや、表示モードの切り替えなどを自動でおこなうことができる。
【００６４】
第３実施形態の車両３００は、コンソールパネル３１の収納袋１００に対向する位置に、無線給電装置３４が配置されている、構成とした。
【００６５】
これにより、携帯電話機ＳＰをはじめとする無線給電装置３４に対応した機器を収納袋１００に収納することで、充電を行うことができる。
【００６６】
以上のように、本発明の実施形態に係る収納袋および、収納袋を備えた車両を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００６７】
第１実施形態において、ポイント部２は接点部２ａと導電部２ｂとからなる構成としたが、別の構成であっても良い。例えば、第２の繊維ＦＢ２からなる糸を、Ｘ文字状に縫い付ける構成であっても良い。
【００６８】
第２実施形態において、ベース布１の全域に亘って、短く切断された第２の繊維ＦＢ２が織り込まれることで織り込み部９が形成される構成とした。第２の繊維ＦＢ２を織り込むのではなく、縫い込みや、編み込みなどにより織り込み部９が形成される構成でも良い。
【００６９】
第１実施形態および第２実施形態において、第１の繊維ＦＢ１の色は透明としたが、透光性を有する白色系の色であっても良い。また、透光性を有しており、内部に収納された携帯電話機ＳＰの操作面ＣＰを十分に確認できるのであれば、透明および白色系の色以外の色であっても良い。
【００７０】
第１実施形態および第２実施形態において、ベース布１はニット状に形成されているとしたが、それ以外の構成であっても良い。
【００７１】
第３実施形態において、収納袋１００（収納袋２００）は、コンソールパネル３１に保持される構成としたが、収納袋１００（収納袋２００）に携帯電話機ＳＰを収納する際に、運転席に座った操縦者の体勢を大きく崩すことなく、腕を伸ばす程度の範囲内であれば、コンソールパネル３１に限定するものではない。例えば、ダッシュボードに配置しても良い。
【００７２】
第３実施形態において、収納袋１００（収納袋２００）は、コンソールパネル３１に着脱可能に保持される構成としたが、コンソールパネル３１に固定される構成であっても良い。なお、収納袋１００（収納袋２００）がコンソールパネル３１に固定される構成とした場合には、補強部材８をコンソールパネル３１の一部で形成しても良い。
【００７３】
第１実施形態および第２実施形態において、開口部１００ａは第１補強部材３により開口した状態を保持するように示しているが、第１補強部材３に開閉可能な機構を設けて、開口部１００ａを開閉可能としても良い。
【符号の説明】
【００７４】
１      ベース布
２      ポイント部
２ａ    接点部
２ｂ    導電部
３      第１補強部材
４      第２補強部材
５      連結部材
７      袋部
８      補強部材
９      織り込み部
３１    コンソールパネル
３１ａ  フック部
３２    近接領域通信タグ
３３    制御部
３４    無線給電装置
１００  収納袋
２００  収納袋
３００  車両
ＣＰ    操作面
ＣＳ    制御信号
ＦＢ１  第１の繊維
ＦＢ２  第２の繊維
ＩＣ    入力位置
ＳＰ    携帯電話機
【図１】
2016036616.tif 000003
【図２】
2016036616.tif 000004
【図３】
2016036616.tif 000005
【図４】
2016036616.tif 000006
【図５】
2016036616.tif 000007
【図６】
2016036616.tif 000008
【図７】
2016036616.tif 000009